(57)【要約】デモ稿本のインテグレーション再生方法及びシステムは、以下のステップを含む。インテグレーションと導入の機能があるソフト環境で、インテグレーション枠内に、少なくとも二つのデモ稿本を導入し、前記インテグレーション枠で、少なくとも一つのインテグレーションデモファイルを生成し、前記インテグレーション枠に、木形ファイル構造を作成し、前記インテグレーションデモファイルと、前記インテグレーションデモファイルに含まれているデモ稿本と、前記デモ稿本に含まれているデモページを、順番に、前記木形ファイル構造の各級のノードに設定し、再生必要があるノードを標識し、標識したノードに応じる項目により組み合わせたインテグレーション再生リストを生成すし、再生エンジンを調達使用して、前記インテグレーション再生リストに含まれている項目を順番再生する。
2009522966.tif 000002
【特許請求の範囲】
【請求項１】
インテグレーションと導入の機能があるソフト環境で、
インテグレーション枠内に、少なくとも二つのデモ稿本を導入するステップ１と、
前記インテグレーション枠で、少なくとも一つのインテグレーションデモファイルを生成するステップ２と、
前記インテグレーション枠に、木形ファイル構造を作成するステップ３と、
前記インテグレーションデモファイルと、前記インテグレーションデモファイルに含まれているデモ稿本と、前記デモ稿本に含まれているデモページを、順番に、前記木形ファイル構造の各級のノードに設定するステップ４と、
再生必要があるノードを標識するステップ５と、
標識したノードに応じる項目により組み合わせたインテグレーション再生リストを生成するステップ６と、
再生エンジンを調達使用して、前記インテグレーション再生リストに含まれている項目を順番再生するステップ７を含む、ことを特徴とするデモ稿本のインテグレーション再生方法。
【請求項２】
前記ステップ３−６は、具体的に、
前記インテグレーション枠内に、第一級ノードを含む木形ファイル構造を作成するステップ３ａと、
前記インテグレーションデモファイルを、それぞれに、前記木形ファイル構造の第一級ノードに設定するステップ４ａと、
再生必要がある第一級ノードを標識するステップ５ａと、
第一級ノードに応じるインテグレーションデモファイルにより組み合わせたインテグレーション再生リストを生成するステップ６ａを含む、ことを特徴とする請求項１に記載のデモ稿本のインテグレーション再生方法。
【請求項３】
前記ステップ３−６は、具体的に、
前記インテグレーション枠に、第一級、第二級ノードを含む木形ファイル構造を作成するステップ３ｂと、
前記インテグレーションデモファイルを、それぞれに、前記木形ファイル構造の第一級ノードに設定し、前記インテグレーションデモファイルに含まれているデモ稿本を、それぞれに、前記木形ファイル構造の第二級ノードに設定するステップ４ｂと、
再生必要がある第一級、第二級ノードを標識するステップ５ｂと、
第二級の標識したノードに応じるデモ稿本により組み合わせたインテグレーション再生リストを生成するステップ６ｂを含む、ことを特徴とする請求項１に記載のデモ稿本のインテグレーション再生方法。
【請求項４】
前記ステップ３−６は、具体的に、
前記インテグレーション枠に、第一級、第二級及び第三級ノードを含む木形ファイル構造を作成するステップ３ｃと、
前記インテグレーションデモファイルを、それぞれに、前記木形ファイル構造の第一級ノードに設定し、前記インテグレーションデモファイルに含まれているデモ稿本を、それぞれに、前記木形ファイル構造の第二級ノードに設定し、前記デモ稿本に含まれているデモページを、それぞれに、前記木形ファイル構造の第三級ノードに設定するステップ４ｃと、
再生必要がある第一級、第二級及び第三級ノードを標識するステップ５ｃと、
第三級の標識したノードに応じるデモページにより組み合わせたインテグレーション再生リストを生成するステップ６ｃを含む、ことを特徴とする請求項１に記載のデモ稿本のインテグレーション再生方法。
【請求項５】
前記インテグレーション再生リストを生成するステップの後で、更に、前記インテグレーション再生リストの再生順番を調整するステップを含む、ことを特徴とする請求項１〜４のいずれかに記載のデモ稿本のインテグレーション再生方法。
【請求項６】
前記インテグレーション再生リストを生成するステップの後で、更に、前記インテグレーション再生リストを、循環再生と設定するするステップを含む、ことを特徴とする請求項１〜４のいずれかに記載のデモ稿本のインテグレーション再生方法。
【請求項７】
前記ステップ７の後で、更に、前記再生リストを、一つの再生テーマとして保存することを選ぶステップを含む、ことを特徴とする請求項１に記載のデモ稿本のインテグレーション再生方法。
【請求項８】
前記ステップ７の後で、更に、前記再生リスト及び関連ページを、一つの新しいインテグレーションファイルとして保存することを選ぶステップを含む、ことを特徴とする請求項１に記載のデモ稿本のインテグレーション再生方法。
【請求項９】
インテグレーション枠内に少なくとも二つのデモ稿本を導入するためのユニットと、
少なくとも一つのインテグレーションデモファイルを生成するためのユニットと、
木形ファイル構造を作成するためのユニットと、
前記インテグレーションデモファイルと、前記インテグレーションデモファイルに含まれているデモ稿本と、前記デモ稿本に含まれているデモページを、順番に前記木形ファイル構造の各級のノードに設定するためのユニットと、
再生必要があるノードを標識するためのユニットと、
標識したノードに応じる項目より組み合わせたインテグレーション再生リストを生成するためのユニットと、
再生エンジンを調達使用して、前記インテグレーション再生リストに含まれている項目を順番に再生するためのユニットを含む、ことを特徴とするデモ稿本のインテグレーション再生システム。
【請求項１０】
木形ファイル構造を作成するためのユニットは、具体的に、第一級ノードを含む木形ファイル構造を作成するためのユニットであり、
前記インテグレーションデモファイルと、前記インテグレーションデモファイルに含まれているデモ稿本と、前記デモ稿本に含まれているデモページを、順番に前記木形ファイル構造の各級のノードに設定するためのユニットは、具体的に、前記インテグレーションデモファイルを、それぞれに、前記木形ファイル構造の第一級ノードに設定するためのユニットであり、
再生必要があるノードを標識するためのユニットは、具体的に、再生必要がある第一級ノードを標識するためのユニットであり、
標識したノードに応じる項目より組み合わせたインテグレーション再生リストを生成するためのユニットは、具体的に、第一級の標識したノードに応じるインテグレーションデモファイルより組み合わせたインテグレーション再生リストを生成するためのユニットである、ことを特徴とする請求項９に記載のデモ稿本のインテグレーション再生システム。
【請求項１１】
木形ファイル構造を作成するためのユニットは、具体的に、第一級、第二級のノードを含む木形ファイル構造を作成するためのユニットであり、
前記インテグレーションデモファイルと、前記インテグレーションデモファイルに含まれているデモ稿本と、前記デモ稿本に含まれているデモページを、順番に前記木形ファイル構造の各級のノードに設定するためのユニットは、具体的に、前記インテグレーションデモファイルを、それぞれに、前記木形ファイル構造の第一級ノードに設定して、前記イ
ンテグレーションデモファイルに含まれているデモ稿本を、それぞれに、前記木形ファイル構造の第二級のノードに設定するためのユニットであり、
再生必要があるノードを標識するためのユニットは、具体的に、再生必要がある第一級、第二級のノードを標識するためのユニットであり、
標識したノードに応じる項目より組み合わせたインテグレーション再生リストを生成するためのユニットは、具体的に、第二級の標識したノードに応じるインテグレーションデモ稿本より組み合わせたインテグレーション再生リストを生成するためのユニットである、ことを特徴とする請求項９に記載のデモ稿本のインテグレーション再生システム。
【請求項１２】
木形ファイル構造を作成するためのユニットは、具体的に、前記インテグレーション枠に、第一級、第二級及び第三級ノードを含む木形ファイル構造を作成するためのユニットであり、
前記インテグレーションデモファイルと、前記インテグレーションデモファイルに含まれているデモ稿本と、前記デモ稿本に含まれているデモページを、順番に前記木形ファイル構造の各級のノードに設定するためのユニットは、具体的に、前記インテグレーションデモファイルを、それぞれに、前記木形ファイル構造の第一級ノードに設定して、前記インテグレーションデモファイルに含まれているデモ稿本を、それぞれに、前記木形ファイル構造の第二級のノードに設定して、前記デモ稿本に含まれているデモページを、それぞれに、前記木形ファイル構造の第三級ノードに設定するためのユニットであり、
再生必要があるノードを標識するためのユニットは、具体的に、再生必要がある第一級、第二級及び第三級ノードを標識するためのユニットであり、
標識したノードに応じる項目より組み合わせたインテグレーション再生リストを生成するためのユニットは、具体的に、第三級の標識したノードに応じるデモページより組み合わせたインテグレーション再生リストを生成するためのユニットである、ことを特徴とする請求項９に記載のデモ稿本のインテグレーション再生システム。
【請求項１３】
前記システムには、更に、前記インテグレーション再生リストの再生順番を調整するためのユニットを含む、ことを特徴とする請求項９〜１２のいずれかに記載のデモ稿本のインテグレーション再生システム。
【請求項１４】
前記システムには、更に、前記インテグレーション再生リストを、循環再生と設定するためのユニットを含む、ことを特徴とする請求項９〜１２のいずれかに記載のデモ稿本のインテグレーション再生システム。
【請求項１５】
前記システムには、更に、前記再生リストを、一つの再生テーマとして保存することを選ぶためのユニットを含む、ことを特徴とする請求項９に記載のデモ稿本のインテグレーション再生システム。
【請求項１６】
前記システムには、更に、前記再生リスト及び関連ページを、一つの新しいインテグレーションファイルとして保存することを選ぶためのステップを含む、ことを特徴とする請求項９に記載のデモ稿本のインテグレーション再生システム。
【発明の詳細な説明】
【技術分野】
【０００１】
本発明はオフィスソフトのデモ稿本の放映技術に関し、特に複数のデモ稿本をインテグレーション再生する方法及びシステムに関する。
【背景技術】
【０００２】
近代の商業活動において、多い製品推薦と紹介会、学術会議、教育場所は、皆各種のデモ稿本の形式を採用して製品を展示し、意見を表現し、知識を伝播して、聴衆に直観的な認識を持たせる。通常的なデモ方式は、講演者が一方で講演しながら一方でデモ稿本を操作することである。多くの場合で、１つ或は複数の講演者の講演の内容は複数のデモ稿本の中に含めてあり、複数のデモ稿本を、ある順序によって、一緒に再生するのが必要となる。しかし、伝統なオフィスソフトは、１つだけのデモ稿本に対して順序放映を進行するとか、１つだけのデモ稿本内の部分ページに対して、再び配列して、新しい組合で順序放映することしかできなく、複数のデモ稿本を連続放映することは実現できないし、更にバッチデモ稿本を順序配列して放映するとか、複数のデモ稿本中の不同なページに対して、混合配列して放映することはいっそうできない。だから、講演者は、関連デモ稿本を読み取って主題を切り替えることしかできない。明らかに、講演の中で頻繁に、稿本を開いて、閉じるという工程の自身は、比較的に時間をかかるし、自然と、聴衆の時間と精力を浪費して、講演の工程のつながりがあまりよくない、甚だしきに至ってはばつが悪いシーンが現れて、伝播の効率を下げた。
【０００３】
もちろん、講演者は、事前に複数のファイルの内容を、再び編集し、組み合わせたし、そして新しいデモ稿本を生成する。上述情況の発生を免れるようだことができる。しかし現代人の仕事のリズムはとても速くて、講演の工程は、また内容の多様性を持って、形式の不確定な面、講演人は範囲を構成して広範に特徴を待って、だから講演者に転ばぬ先の杖のように求めて、事前に諸葛孔明の解決方法は意義がないだけではなくて、その上、近代的な社会の人を基本にする理念と矛盾する。それ以外に、講演者が毎回講演する前に、異なったテーマや、異なったオブジェクトや、異なった時間という制限によって、再び稿本を編集し、稿本を組織という工程も、ただ１種に繰り返し労働であり、精力と時間を浪費しているだけでなく、講演の内容が融通性と的中性を持ってなくなる。
【発明の開示】
【発明が解決しようとする課題】
【０００４】
本発明の目的は、複数のデモ稿本をインテグレーション及び順番に再生する方法とシステムを提供することで、インテグレーションファイル技術を利用して、提供したインテグレーションや導入の機能があるソフト環境の下で、インテグレーション技術、導入技術や放送技術の結合を通じて、複数のデモファイルや、デモ稿本や、デモページを合併、並べ替え及び再生ができて、伝統的なデモ稿本が、単独に放送しかないという技術問題を解決し、オフィスソフトの使用機能を拡大した。
【課題を解決するための手段】
【０００５】
上記目的を実現するため、本発明は、デモ稿本のインテグレーション再生方法を提供し、インテグレーションと導入の機能があるソフト環境で、以下の手順を実行する：
ステップ１、インテグレーション枠内に、少なくとも二つのデモ稿本を導入する；
ステップ２、上記インテグレーション枠で、少なくとも一つのインテグレーションデモファイルを生成する；
ステップ３、上記インテグレーション枠に、一つの木形ファイル構造を作成する；
ステップ４、上記インテグレーションデモファイルと、上記インテグレーションデモフ
ァイルに含まれているデモ稿本と、上記デモ稿本に含まれているデモページを、順番に、上記木形ファイル構造の各級のノードに設定する；
ステップ５、再生必要があるノードを標識する；
ステップ６、標識したノードに応じる項目により組み合わせたインテグレーション再生リストを生成する；
ステップ７、再生エンジンを調達使用して、上記インテグレーション再生リストに含まれている項目を順番再生する。
【０００６】
上記技術方案の中に、ステップ３−６は、以下のようなステップであることができる。
ステップ３ａ、上記インテグレーション枠内に、第一級ノードを含む木形ファイル構造を作成する；
ステップ４ａ、上記インテグレーションデモファイルを、それぞれに、上記木形ファイル構造の第一級ノードに設定する；
ステップ５ａ、再生必要がある第一級ノードを標識する；
ステップ６ａ、第一級の標識したノードに応じるインテグレーションデモファイルにより組み合わせたインテグレーション再生リストを生成する。
【０００７】
上記技術方案の中に、ステップ３−６は、以下のようなステップであることができる。ステップ３ｂ、上記インテグレーション枠に、第一級、第二級ノードを含む木形ファイル構造を作成する；
ステップ４ｂ、上記インテグレーションデモファイルを、それぞれに、上記木形ファイル構造の第一級ノードに設定し、上記インテグレーションデモファイルに含まれているデモ稿本を、それぞれに、上記木形ファイル構造の第二級ノードに設定する；
ステップ５ｂ、再生必要がある第一級、第二級ノードを標識する；
ステップ６ｂ、第二級の標識したノードに応じるデモ稿本により組み合わせたインテグレーション再生リストを生成する。
【０００８】
上記技術方案の中に、ステップ３−６は、以下のようなステップであることができる。
ステップ３ｃ、上記インテグレーション枠に、第一級、第二級及び第三級ノードを含む木形ファイル構造を作成する；
ステップ４ｃ、上記インテグレーションデモファイルを、それぞれに、上記木形ファイル構造の第一級ノードに設定し、上記インテグレーションデモファイルに含まれているデモ稿本を、それぞれに、上記木形ファイル構造の第二級ノードに設定し、上記デモ稿本に含まれているデモページを、それぞれに、上記木形ファイル構造の第三級ノードに設定する；
ステップ５ｃ、再生必要がある第一級、第二級及び第三級ノードを標識する；
ステップ６ｃ、第三級の標識したノードに応じるデモページにより組み合わせたインテグレーション再生リストを生成する。
【０００９】
なお、インテグレーション再生リストを生成するステップの後で、更に、前記インテグレーション再生リストの再生順番を調整するステップを含んでもよいし、前記インテグレーション再生リストを、循環再生と設定するするステップを含んでもよい。更に、前記ステップ７の後で、前記再生リストを、一つの再生テーマとして保存することを選ぶステップを含んでもよいし、前記再生リスト及び関連ページを、一つの新しいインテグレーションファイルとして保存することを選ぶステップを含んでもよし。
【００１０】
上記目的を実現するために、本発明は、更に、デモ稿本のインテグレーション再生システムを提供し、以下のユニットを含む：
インテグレーション枠内に少なくとも二つのデモ稿本を導入するためのユニットと、
少なくとも一つのインテグレーションデモファイルを生成するためのユニットと、
木形ファイル構造を作成するためのユニットと、
前記インテグレーションデモファイルと、前記インテグレーションデモファイルに含まれているデモ稿本と、前記デモ稿本に含まれているデモページを、順番に前記木形ファイル構造の各級のノードに設定するためのユニットと、
再生必要があるノードを標識するためのユニットと、
標識したノードに応じる項目より組み合わせたインテグレーション再生リストを生成するためのユニットと、
再生エンジンを調達使用して、前記インテグレーション再生リストに含まれている項目を順番に再生するためのユニット。
【００１１】
伝統的なオフィスソフトは、単独のデモ稿本しか放送できない、複数のデモ稿本を連続再生もできないし、複数のデモ稿本を順番に再生及び複数のデモ稿本の中の違うページを混合編集して再生することもできない。本発明は、上記技術問題に対して、インテグレーションファイル技術が提供した契機により、インテグレーション、導入と放送という技術の結合を通じて、複数のデモ稿本をインテグレーションして順番に再生する方法を提出し、徹底的に上記技術問題を解決した。本発明の技術方案は、以下のステップを含む。インテグレーションと導入の機能があるソフト環境で、インテグレーション枠内に、少なくとも二つのデモ稿本を導入し、少なくとも一つのインテグレーションデモファイルを生成し、一つの木形ファイル構造を作成することを通じて、前記インテグレーションデモファイルと、前記インテグレーションデモファイルに含まれているデモ稿本と、前記デモ稿本に含まれているデモページを、順番に、前記木形ファイル構造の各級のノードに設定し、再生必要があるノードを標識し、最後に、標識したノードに応じる項目により組み合わせたインテグレーション再生リストを生成する。インテグレーションファイル技術は、全てのデモ稿本及びそのページのデータをこのインテグレーションファイルに保存したため、本発明の上記ステップを通じて生成した再生リストは、実は、いずれかの一つ又は複数のインテグレーションデモファイルと、いずれかの一つ又は複数のデモ稿本と、いずれかの一つ又は複数のデモページからなる新しい再生項目組合であり、つまり、上記インテグレーション再生リストは、定義した新しい再生順番の組合体であり、再生エンジンを調達使用して、上記インテグレーション再生リストに含まれている項目を順番に再生するのは、本発明の目的を実現した。
【００１２】
更に、本発明で作成した木形ファイル構造は、１−３級を含む。違う級別の項目の組合を通じて、各層の内容を順番で再生するのが実現する。つまり、第一級、第二級或いは第三級ノードの組合は、それぞれに、複数のインテグレーションデモファイル、複数のデモ稿本或いは複数のデモページの連続再生を形成できる。尚更、本発明は、インテグレーション再生リストの設置と調整により、再生順番と循環再生の調整もできる。同時、本発明は、更に、上記再生リストを、一つの再生テーマとして保存するステップを含めてよい、または、上記再生リストと関連ページを、一つ新しいインテグレーションファイルとして保存するステップも含めてよい。
【発明の効果】
【００１３】
本発明は、複数のデモ稿本の順番、連続再生を実現したほか、伝統な編集の作業量を大幅に減少する実用効果があり、公知技術が比べできない融通性とリアルタイム性を体現した。
【００１４】
次のように、図面及び具体的な実施例を結合して、本発明に対して更に詳しく説明する。
【発明を実施するための最良の形態】
【００１５】
本発明は、インテグレーション技術、導入技術と放送技術の結合を通じて、複数のデモ
稿本を連続かつ順番に再生するのを実現し、機能がもっと強く、ユーザーに最大な便利を提供した。インテグレーション技術は、全てのワードプロセッサ、スプレッドシート、デモ稿本などのアプリケーションを一つのソフトに設定して実行する。一つ統一なインタフェースを使って、全てのアプリケーションデータを一つのファイルに保存して、一つ稿本を開くコマンドで同時に違うアプリケーションにある全てのファイルを開くことができる。上記インテグレーションファイルは、スプレッドシートドキュメント、ワードプロセッサドキュメント、デモ稿本ドキュメントなどの多種アプリケーションドキュメントで構成したファイルであり、ユーザーがインテグレーションファイル内の各アプリケーションドキュメントの間で切替できて、同時に違うアプリケーション内のデータを見えて、異なったソフトの間で繰り返して切替する必要がない。上記インテグレーションファイルは、導入技術を通じて、ワークドキュメントを、ある組織方式で、インテグレーションファイル内で、データオブジェクトの形に従って、組合できる。具体的に言えば、あるインテグレーション枠を作成し、全てのワークドキュメントをそのインテグレーション枠内に導入して、相応のインテグレーションファイルを生成した。
【００１６】
本発明にかかるデモ稿本のインテグレーション再生方法は、上記技術を基礎として、更に、デモ稿本の放送技術と結び付け、複数のインテグレーションデモファイルと、複数のインテグレーションデモファイルにある複数のデモ稿本と、複数のデモ稿本にある複数のデモページの連続かつ順番に再生を実現した。
【００１７】
図１は本発明にかかるデモ稿本のインテグレーション再生方法の流れ図であり、インテグレーションと導入という機能つきのソフト環境で、以下の手順を実行する：
ステップ１、インテグレーション枠内に、少なくとも二つのデモ稿本を導入する；
ステップ２、上記インテグレーション枠で、少なくとも一つのインテグレーションデモファイルを生成する；
ステップ３、上記インテグレーション枠に、一つの木形ファイル構造を作成する；
ステップ４、上記インテグレーションデモファイルと、上記インテグレーションデモファイルに含まれているデモ稿本と、上記デモ稿本に含まれているデモページを、順番に、上記木形ファイル構造の各級のノードに設定する；
ステップ５、再生必要があるノードを標識する；
ステップ６、標識したノードに応じる項目により組み合わせたインテグレーション再生リストを生成する；
ステップ７、再生エンジンを調達使用して、上記インテグレーション再生リストに含まれている項目を順番再生する。
【００１８】
本発明にかかるデモ稿本のインテグレーション再生システムは、インテグレーション枠内に少なくとも二つのデモ稿本を導入するためのユニットと、少なくとも一つのインテグレーションデモファイルを生成するためのユニットと、木形ファイル構造を作成するためのユニットと、上記インテグレーションデモファイルと、上記インテグレーションデモファイルに含まれているデモ稿本と、上記デモ稿本に含まれているデモページを、順番に上記木形ファイル構造の各級のノードに設定するためのユニットと、再生必要があるノードを標識するためのユニットと、標識したノードに応じる項目より組み合わせたインテグレーション再生リストを生成するためのユニットと、及び、再生エンジンを調達使用して、上記インテグレーション再生リストに含まれている項目を順番に再生するためのユニットを含む。
【００１９】
インテグレーションファイルにある全てのアプリケーションドキュメントデータが、このインテグレーションファイルに保存されているため、上記ステップを通じて、生成されたインテグレーション再生リストには、インテグレーションファイルに含まれているいずれかの一つ又は複数のインテグレーションデモファイルと、いずれかの一つ又は複数のデ
モ稿本と、いずれかの一つ又は複数のデモページが含めできる。実際には、新しい項目組合を生成して、デモ再生に用いる。具体的に言えば、上記ステップ６は、標識があるノードに相応するインテグレーションデモファイルのために、インテグレーション再生リストを生成し、複数のインテグレーションデモファイルの新組合を形成し、インテグレーションデモファイルレベルの連続再生を実現する。或いは、標識があるノードに相応するデモ稿本のために、インテグレーション再生リストを生成し、異なったインテグレーションファイルの複数のデモ稿本の新組合を形成し、デモ稿本レベルの連続再生を実現する。或いは、標識があるノードに相応するデモページのために、インテグレーション再生リストを生成し、異なったインテグレーションデモファイルと、異なったデモ稿本の複数のデモページの新組合を形成し、デモページの連続再生を実現する。次は、具体的な実施列を通じて、詳しくて説明する。
【００２０】
実施例一：
図２は、本発明にかかるインテグレーションデモファイルレベルの連続再生の流れ図であり、図１に示すステップ３−６は、具体的に、以下の通りである：
ステップ３ａ、上記インテグレーション枠内に、第一級ノードを含む木形ファイル構造を作成する；
ステップ４ａ、上記インテグレーションデモファイルを、それぞれに、上記木形ファイル構造の第一級ノードに設定する；
ステップ５ａ、再生必要がある第一級ノードを標識する；
ステップ６ａ、第一級の標識したノードに応じるインテグレーションデモファイルにより組み合わせたインテグレーション再生リストを生成する。
【００２１】
図３は、本発明にかかるインテグレーションデモファイルレベルの連続再生の説明図であり、三つのインテグレーションデモ稿本を含む木形ファイル構造を示す。ルートノード下の第一級には、三つのインテグレーション再生ファイルＡ、Ｂ、Ｃがある。本実施例の中で、インテグレーション再生リストの設定は、第一級の再生項目だけを含む。標識がインテグレーションデモファイルＡとＣのノードに設定される時、帰属関係によって、インテグレーションデモファイルＡとＣ内に含まれているデモ稿本及び相応するデモページも、皆標識状態であるはずだ。本実施例で生成したインテグレーション再生リストは、インテグレーションデモファイルＡとＣへ指定し、再生エンジンは、上記インテグレーションデモファイルＡとＣの全ての内容を連続再生する。
【００２２】
本実施例の中で、デモ稿本のインテグレーション再生システムにおける木形ファイル構造を作成するためのユニットは、具体的に、第一級ノードを含む木形ファイル構造を作成するためのユニットである。上記インテグレーションデモファイルと、上記インテグレーションデモファイルに含まれているデモ稿本と、上記デモ稿本に含まれているデモページを、順番に上記木形ファイル構造の各級のノードに設定するためのユニットは、具体的に、上記インテグレーションデモファイルを、それぞれに、上記木形ファイル構造の第一級ノードに設定するためのユニットである。再生必要があるノードを標識するためのユニットは、具体的に、再生必要がある第一級ノードを標識するためのユニットである。標識したノードに応じる項目より組み合わせたインテグレーション再生リストを生成するためのユニットは、具体的に、第一級の標識したノードに応じるインテグレーションデモファイルより組み合わせたインテグレーション再生リストを生成するためのユニット。
【００２３】
実施例二：
図４は、本発明にかかるデモ稿本レベルの連続再生の流れ図であり、図１に示すステップ３−６は、具体的に、以下の通りである：
ステップ３ｂ、上記インテグレーション枠に、第一級、第二級ノードを含む木形ファイル構造を作成する；
ステップ４ｂ、上記インテグレーションデモファイルを、それぞれに、上記木形ファイル構造の第一級ノードに設定し、上記インテグレーションデモファイルに含まれているデモ稿本を、それぞれに、上記木形ファイル構造の第二級ノードに設定する；
ステップ５ｂ、再生必要がある第一級、第二級ノードを標識する；
ステップ６ｂ、第二級の標識したノードに応じるデモ稿本により組み合わせたインテグレーション再生リストを生成する。
【００２４】
図５は本発明にかかるデモ稿本レベルの連続再生の説明図であり、三つのインテグレーションデモファイルを含む木形ファイル構造を示す。毎インテグレーションデモファイルには、皆二つのデモ稿本がある。ルートノード下の第一級には、インテグレーション再生ファイルＡ、Ｂ、Ｃが含まれている。第二級には、デモ稿本Ａ１、Ａ２、Ｂ１、Ｂ２、Ｃ１とＣ２が含まれている。本実施例の中で、設定したインテグレーション再生リストは、第一級、第二級の再生項目を含み、標識がインテグレーションデモファイルＡと、デモ稿本Ａ１と、インテグレーションデモファイルＣと、デモ稿本Ｃ２に設定される時、帰属関係により、デモ稿本Ａ１とＣ２に含まれているデモページも、標識状態であるはずだ。本実施例で生成したインテグレーション再生リストは、デモ稿本Ａ１とデモ稿本Ｃ２へ指定し、再生エンジンは、デモ稿本Ａ１とデモ稿本Ｃ２の全ての内容を連続再生する。
【００２５】
本実施例の中で、本実施例の中で、デモ稿本のインテグレーション再生システムにおける木形ファイル構造を作成するためのユニットは、具体的に、第一級、第二級のノードを含む木形ファイル構造を作成するためのユニットである。上記インテグレーションデモファイルと、上記インテグレーションデモファイルに含まれているデモ稿本と、上記デモ稿本に含まれているデモページを、順番に上記木形ファイル構造の各級のノードに設定するためのユニットは、具体的に、上記インテグレーションデモファイルを、それぞれに、上記木形ファイル構造の第一級ノードに設定して、上記インテグレーションデモファイルに含まれているデモ稿本を、それぞれに、上記木形ファイル構造の第二級のノードに設定するためのユニットである。再生必要があるノードを標識するためのユニットは、具体的に、再生必要がある第一級、第二級のノードを標識するためのユニットである。標識したノードに応じる項目より組み合わせたインテグレーション再生リストを生成するためのユニットは、具体的に、第二級の標識したノードに応じるインテグレーションデモ稿本より組み合わせたインテグレーション再生リストを生成するためのユニットである。
【００２６】
実施列三：
図６は本発明にかかるデモページレベルの連続再生の流れ図であり、図１に示すステップ３−６は、具体的に、以下の通りである：
ステップ３ｃ、上記インテグレーション枠に、第一級、第二級及び第三級ノードを含む木形ファイル構造を作成する；
ステップ４ｃ、上記インテグレーションデモファイルを、それぞれに、上記木形ファイル構造の第一級ノードに設定し、上記インテグレーションデモファイルに含まれているデモ稿本を、それぞれに、上記木形ファイル構造の第二級ノードに設定し、上記デモ稿本に含まれているデモページを、それぞれに、上記木形ファイル構造の第三級ノードに設定する；
ステップ５ｃ、再生必要がある第一級、第二級及び第三級ノードを標識する；
ステップ６ｃ、第三級の標識したノードに応じるデモページにより組み合わせたインテグレーション再生リストを生成する。
【００２７】
図７は本発明にかかるデモページレベルの連続再生の説明図であり、三つのインテグレーションデモファイルを含む木形ファイル構造を示す。毎インテグレーションデモファイルには、皆二つのデモ稿本がある；毎デモ稿本には、更に、二つのデモページからなる。ルートノード下の第一級には、インテグレーション再生ファイルＡ、Ｂ、Ｃが含まれてい
る。第二級には、デモ稿本Ａ１、Ａ２、Ｂ１、Ｂ２、Ｃ１とＣ２が含まれている。第三級には、デモページＡ１１、Ａ１２、Ａ２１、Ａ２２、Ｂ１１、Ｂ１２、Ｂ２１、Ｂ２２、Ｃ１１、Ｃ１２、Ｃ２１とＣ２２が含まれている。本実施例の中で、設定したインテグレーション再生リストは、第一級、第二級と第三級の再生項目を含み、標識がインテグレーションデモファイルＡと、デモ稿本Ａ１と、デモページＡ１１と、ンテグレーションデモファイルＢ、デモ稿本Ｂ２と、デモページＢ２１と、インテグレーションデモファイルＣと、デモ稿本Ｃ２、デモページＣ１２に設定される時、本実施例で生成したインテグレーション再生リストは、デモページＡ１１と、デモページＢ２１と、デモページＣ１２を含む。再生エンジンは、デモページＡ１１、Ｂ２１、Ｃ１２を連続再生する。
【００２８】
本実施例の中で、本実施例の中で、デモ稿本のインテグレーション再生システムにおける木形ファイル構造を作成するためのユニットは、具体的に、上記インテグレーション枠に、第一級、第二級及び第三級ノードを含む木形ファイル構造を作成するためのユニットである。上記インテグレーションデモファイルと、上記インテグレーションデモファイルに含まれているデモ稿本と、上記デモ稿本に含まれているデモページを、順番に上記木形ファイル構造の各級のノードに設定するためのユニットは、具体的に、上記インテグレーションデモファイルを、それぞれに、上記木形ファイル構造の第一級ノードに設定して、上記インテグレーションデモファイルに含まれているデモ稿本を、それぞれに、上記木形ファイル構造の第二級のノードに設定して、上記デモ稿本に含まれているデモページを、それぞれに、上記木形ファイル構造の第三級ノードに設定するためのユニットである。再生必要があるノードを標識するためのユニットは、具体的に、再生必要がある第一級、第二級及び第三級ノードを標識するためのユニットである。標識したノードに応じる項目より組み合わせたインテグレーション再生リストを生成するためのユニットは、具体的に、第三級の標識したノードに応じるデモページより組み合わせたインテグレーション再生リストを生成するためのユニットである。
【００２９】
本発明にかかる技術方案で作成した木形ファイル構造の最小の項目単位は、デモページであり、つまり第三級項目である。もちろん、デモページの組合直しの効果は、新しいデモ稿本の編集と同じだが、そんな少ない作業量で見ると、伝統的な編集作業が遠く及ばないので、非常に実用な機能優勢を持ちます。
【００３０】
本発明の技術方案の中で最適化して、上記ステップ６の後で、上記ンテグレーション再生リストの再生の順序を調整するステップを含むことができて、更に、上記ンテグレーション再生リストを循環再生と設定するステップを含むことができる。相応して、本発明にかかるデモ稿本のインテグレーション再生システムは、上記インテグレーション再生リストの再生順序を調整するためのユニットと、更に、上記ンテグレーション再生リストを循環再生と設定するためのユニットを含むことができる。そのため、インテグレーション再生リストの中に含まれている再生項目が、何級なのに関わらず、皆設定した順序によって、順序を並べることができて、そして、上記並べた順序で連続かつ順番にして再生することができる。本発明にかかる再生順序を調整するステップと循環再生と設定するステップは、皆、上記インテグレーション再生リストの更なる処理である。本発明は、簡単なダイアログボックスという方式を採用して実現した。図８に示すように、ユーザーが、インターフェースの提供した上下矢印のボタンを使って、再生順序を調整することができて、そして、循環再生標記の設定を通じて、循環再生の方式を実現することができる。
【００３１】
本発明の最適な技術方案の中で、本発明は、再生リストを、１つの再生テーマとして保存することを選び、そしてファイルの中に設定することができる。次回の再生の時に、直接に上記テーマを運行することができて、繰り返し再生を実現できるようにする。本発明にかかるデモ稿本のインテグレーション再生システムは、更に、上記再生リストを、１つの再生テーマとして保存することを選ぶためのユニットを含むことができる。それ以外に
、本発明は、再生リストと再生リストに対応したページを、１つの新しいインテグレーションファイルとして保存することができる。本発明にかかるデモ稿本のインテグレーション再生システムは、更に、上記再生リストと対応したページを、１つの新しいインテグレーションファイルとして保存することを選ぶためのユニットを含むことができる。
【００３２】
上述の説明を通じてはっきりして見抜くことができて、本発明は、有効に複数のデモ稿本の順序及び連続再生という技術問題を解決し、公知技術が実現できない再生効果を獲得できるだけではなく、その上、本発明の技術の効果は、まだ更に深遠にデモ稿本の再生の前の編集仕事を影響して、最大の程度で伝統の編集や組織という作業量を減らして、しかも強大な融通性とリアルタイム性を体現する。例えば、製品の普及の中で講演者は、異なった場所で、異なっているオブジェクトに対して、決まった時間の内で、異なったテーマの内容を講演する場合、例えば、技術者に対して技術の方面から技術の手段を紹介の必要なようだして、方策人員に対して製品の特殊な機能に重点をおかなければならない場合、伝統の方法は、テーマと時間の制限によって、再び新しいデモ稿本を作ることをすることしかできなくて、講演者は毎回講演する前に大量の時間の編集を費やさなければならなくて、新しいデモの稿本を組織して、様々な複数のニーズを対処するためのバージョンを生成なければなれなくて、そして、超過の精力をかかってこれらのファイルを管理する必要がある。本発明は、ただ１つのインテグレーションファイルを通して、簡単な選択過程で、上記苦労で繰り返しの仕事を完成できる。講演者は  まず、関連内容をインテグレーションファイルの中に導入し、異なった内容のデモ稿本を、異なっているインテグレーションデモファイルの分類或いはデモ稿本の分類に分けて、講演のアウトラインによって、講演者は、相応するデモ稿本又はデモページを選んで、講演したい内容を、新しいインテグレーション再生リストとして組み合わせた。想像することができて、この方法は、極めて大きい融通性を持つだけではなくて、非常に時代とともに進む時代の要求にも合って、講演者は、１つのこのようなインテグレーションファイルを持って、いろいろ変わったことに応じて不変であり、甚だしきに至っては、講演の前の数分に、やっと講演内容の組織あるいは調整を行ってもかまわない。
【００３３】
上述した実施形態は、本発明を説明するために例示的に挙げたに過ぎないものであって、本発明を何ら限定するものではない。当業者は、本発明の要旨を逸脱しない範囲において、上述の実施形態に対して様々な修正或いは均等物との置換を加えることができ、そのような修正及び置換は、保護が要求されている本発明の技術的思想の範囲内に属するものであることは明らかである。
【図面の簡単な説明】
【００３４】
【図１】図１は本発明にかかるデモ稿本のインテグレーション再生方法の流れ図であり；
【図２】図２は本発明にかかるインテグレーションデモファイルレベルの連続再生の流れ図であり；
【図３】図３は本発明にかかるインテグレーションデモモファイルレベルの連続再生の説明図であり；
【図４】図４は本発明にかかるデモ稿本レベルの連続再生の流れ図であり；
【図５】図５は本発明にかかるデモ稿本レベルの連続再生の説明図であり；
【図６】図６は本発明にかかるデモページレベルの連続再生の流れ図であり；
【図７】図７は本発明にかかるデモページレベルの連続再生の説明図であり；
【図８】図８は本発明にかかる再生順番を設定するダイアログボックスの説明図である。
【図１】
2009522966.tif 000003
【図２】
2009522966.tif 000004
【図３】
2009522966.tif 000005
【図４】
2009522966.tif 000006
【図５】
2009522966.tif 000007
【図６】
2009522966.tif 000008
【図７】
2009522966.tif 000009
【図８】
2009522966.tif 000010
【国際調査報告】
2009522966.tif 000011
2009522966.tif 000012
2009522966.tif 000013
2009522966.tif 000014